(57)【特許請求の範囲】
【請求項１】
車両床面の前後方向に沿って取付けられるロアレールと、該ロアレール上で長手方向に摺動自在に案内支持されると共に、シート本体側に取付け固定されるアッパーレールとからなるシートスライド装置であって、アッパーレールの前後端の少なくともいずれか一方にロアレール内部に溜まる異物を外部に掃き出すスイーパーを取付けるシートスライド装置におけるスイーパーの取付構造において、
前記ロアレールは、略上向きコ字状をなす本体部と、該本体部の両側部先端側から内方に延設され、開口部を形成する左右一対のフランジとを備え、
前記アッパーレールは、前記ロアレールの本体部内に収容される略下向きコ字状をなす本体部と、該本体部の上部壁の中央より上方に延出し、前記ロアレールの開口部より上方に突出し、シート本体側との取付部をなす垂直壁を有し、
前記スイーパーは、ロアレールの幅方向に沿って左右に延び、ロアレールの内底面に部分的に当接し、異物を外部に排出するためのスイーパープレートと、このスイーパープレートのプレート面から面直方向に突設され、アッパーレール本体部の底部壁を上下側から挟み込む上下側フランジと、スイーパープレートの上縁から上方に向けて延設され、アッパーレールの垂直壁縁部を左右側から挟持する挟持部とを備え、上下側フランジでアッパーレールの本体部の底部壁を挟持すると共に、アッパーレールの垂直壁に開設した取付孔内に挟持部に設けたエンボス凸部を嵌着させることにより、上下方向並びに前後、左右方向の位置規制を行い、スイーパーをアッパーレールに取付けたことを特徴とするシートスライド装置におけるスイーパーの取付構造。
【請求項２】
前記スイーパーにおける下側フランジの先端にフックが形成され、上下側フランジによりアッパーレール本体部の底部壁を挟持する際、底部壁に設けたローラー収容開口の縁部に前記フックが係止され、スイーパーの脱落が規制されることを特徴とする請求項１に記載のシートスライド装置におけるスイーパーの取付構造。
【発明の詳細な説明】
【０００１】
【発明の属する技術分野】
本発明は、シートスライド装置におけるスイーパーの取付構造に係り、更に詳しくは、車両床面の前後方向に沿って取付けられるロアレールと、該ロアレール上で長手方向に摺動自在に案内支持されると共に、シート本体側に取付け固定されるアッパーレールとからなるシートスライド装置であって、アッパーレールの前後端の少なくともいずれか一方にロアレール内部に溜まる異物を外部に掃き出すスイーパーを取付けるシートスライド装置におけるスイーパーの取付構造に関する。
【０００２】
【従来の技術】
一般に、車両用シートは、シートクッション及びその後方で回動調整自在に取付けられたシートバック等からなるシート本体を備えてなり、且つこのシート本体を構成するシートクッション等を車体床面上で前後スライド機構を介して支持することにより、車体の前後方向にスライド移動調整し得るように構成され、車室内のシートのレイアウトを種々に変更し得るように形成されている。
【０００３】
そして、このようなシートの前後スライド機構として、車体床面上に前後方向に長く形成され、車体床面側に載置され、フロアカーペットの表面とほぼ同一高さに設けられるロアレールと、シート本体側に取付け固定されるアッパーレールからなるシートスライド装置が用いられている。
【０００４】
ところで、ロアレールには、アッパーレールを嵌合するための開口部またはスリットが形成されており、この開口部またはスリットを通してロアレール内にゴミ等の異物が入り込み、アッパーレールのロアレールに対するスライド性が損なわれる虞れがある。
【０００５】
そして、ロアレール内に入り込んだチリ、ゴミ等の異物をロアレール外部に排出するための機構として、アッパーレールの前後端のいずれか一方、あるいは双方にゴミを掃き出すためのスイーパーを設けたシートスライド装置が、例えば、特開平１０−３１５８１１号公報に示すように提案されている。
【０００６】
このシートスライド装置１は、図９に示すように、車両の床面上に前後方向に沿って長く形成されるロアレール２と、ロアレール２の前後方向に沿って摺動自在に案内され、図示しないシート本体を支持するアッパーレール３と、アッパーレール３の前後端に取付けられているスイーパー４とから大略構成されている。
【０００７】
そして、このアッパーレール３に対するスイーパー４の取付構造は、図１０に示すように、スイーパー本体４ａと一体化したＵ字状の取付用ブラケット４ｂをアッパーレール３の縁部に挟み込み、取付用ブラケット４ｂに形成した固定突起４ｃ、回動突起４ｄをアッパーレール３の固定孔３ａ、移動孔３ｂに嵌合することにより、スイーパー４をアッパーレール３に取付けている。図１１において、アッパーレール３にスイーパー４を取付け、ロアレール２内に収容した状態が示されている。
【０００８】
【発明が解決しようとする課題】
このように、図９乃至図１１に示すスイーパー４の取付構造においては、アッパーレール３のスライド性を確保することを目的として、スイーパー本体４ａに取付けた取付用ブラケット４ｂは、固定突起４ｃがアッパーレール３の固定孔３ａ内に嵌合することにより固定され、回動突起４ｄが嵌まり込む移動孔３ｂでは遊嵌状態であるため、アッパーレール３のスライド操作性は向上するものの、アッパーレール３のスライド操作時にスイーパー４がガタつく虞れがあり、また、急激なスライド操作を行った場合、スイーパー４がアッパーレール３から脱落する虞れがある。
【０００９】
本発明の目的は、ロアレールに摺動可能に案内されるアッパーレールの前後端の少なくとも一方側にスイーパーを取付け、ロアレール内のゴミ等の異物を外部に排出できるシートスライド装置におけるスイーパーの取付構造であって、スイーパーをアッパーレールに対して前後、左右及び上下の各方向に位置ズレが生じることがなく、確実に固定でき、スライド操作時におけるガタつきをなくすと共に、急激なスライド操作を行っても脱落する虞れがないシートスライド装置におけるスイーパーの取付構造を提供するものである。
【００１０】
【課題を解決するための手段】
本発明は上述せる課題に鑑みてなされたもので、本発明の請求項１に記載の  シートスライド装置におけるスイーパーの取付構造は、車両床面の前後方向に沿って取付けられるロアレールと、該ロアレール上で長手方向に摺動自在に案内支持されると共に、シート本体側に取付け固定されるアッパーレールとからなるシートスライド装置であって、アッパーレールの前後端の少なくともいずれか一方にロアレール内部に溜まる異物を外部に掃き出すスイーパーを取付けるシートスライド装置におけるスイーパーの取付構造において、
前記ロアレールは、略上向きコ字状をなす本体部と、該本体部の両側部先端側から内方に延設され、開口部を形成する左右一対のフランジとを備え、前記アッパーレールは、前記ロアレールの本体部内に収容される略下向きコ字状をなす本体部と、該本体部の上部壁の中央より上方に延出し、前記ロアレールの開口部より上方に突出し、シート本体側との取付部をなす垂直壁を有し、前記スイーパーは、ロアレールの幅方向に沿って左右に延び、ロアレールの内底面に部分的に当接し、異物を外部に排出するためのスイーパープレートと、このスイーパープレートのプレート面から面直方向に突設され、アッパーレール本体部の底部壁を上下側から挟み込む上下側フランジと、スイーパープレートの上縁から上方に向けて延設され、アッパーレールの垂直壁縁部を左右側から挟持する挟持部とを備え、上下側フランジでアッパーレールの本体部の底部壁を挟持すると共に、アッパーレールの垂直壁に開設した取付孔内に挟持部に設けたエンボス凸部を嵌着させることにより、上下方向並びに前後、左右方向の位置規制を行い、スイーパーをアッパーレールに取付けたことを特徴とする。
【００１１】
そして、本発明の請求項１に記載のシートスライド装置におけるスイーパーの取付構造によれば、ロアレールの幅方向に沿って延びるスイーパープレートのプレート面から面直方向に延びる上下側フランジを突設し、この上下側フランジによりアッパーレール本体部の底部壁を上下面側から挟み込むようにしたため、スイーパーはアッパーレールに対して上下方向にズレ込む虞れがない。また、スイーパープレートの上縁部から上方に向けて延設した挟持部により、アッパーレールを左右側から挟み込み、アッパーレールに設けた取付孔にエンボス凸部を嵌合させることにより、スイーパーをアッパーレールに対して前後、左右方向の位置ズレを回避した状態で取付けることができる。このように、スイーパーは、アッパーレールに対して、前後、左右、上下方向の各方向に対する位置規制が確実に行われているため、スライド操作時におけるガタつきがなく、急激なスライド操作を行っても脱落する虞れがない。
【００１２】
本発明の請求項２に記載のシートスライド装置におけるスイーパーの取付構造は、前記スイーパーにおける下側フランジの先端にフックが形成され、上下側フランジによりアッパーレール本体部の底部壁を挟持する際、底部壁に設けたローラー収容開口の縁部に前記フックが係止され、スイーパーの脱落が規制されることを特徴とする。
【００１３】
そして、本発明の請求項２に記載のシートスライド装置におけるスイーパーの取付構造によれば、アッパーレール本体部の底部壁を上下側から挟持するように上下側フランジを底部壁に差し込めば、下側フランジの先端に設けたフックが底部壁のローラー収容開口の縁部に係合するため、スイーパーは、エンボス凸部を中心として下部側が回動することがなく、スイーパーの脱落を確実に防止できる。更に、上下側フランジをアッパーレールの本体部に差し込み操作する際、下側フランジ先端のフックが底部壁のローラー収容開口の縁部に係合するため、節度感が得られ、スイーパーの取付作業の確認が簡単に行える。
【００１４】
【発明の実施の形態】
以下、本発明に係るシートスライド装置におけるスイーパーの取付構造の好適な実施の形態について、添付図面を参照して詳述する。
図１は本発明に係るスイーパーを取付けるシートスライド装置の基本構成を示すものでアッパーレールとロアレールとの関係を示す断面図、図２は同シートスライド装置におけるアッパーレールの前後端にスイーパーを取付ける状態を示す全体斜視図、図３乃至図６は本発明に適用するスイーパーを示すもので、図３はスイーパーの斜視図、図４はスイーパーの側面図、図５はスイーパーの正面図、図６はスイーパーの平面図である。また、図７はアッパーレールにスイーパーを取付けた状態を示す側面図、図８はアッパーレールにスイーパーを取付けた状態を示す断面図である。
【００１５】
まず、本発明に係るスイーパーを適用するシートスライド装置１０の概略構成について、図１を基に説明する。本発明に係るシートスライド装置１０が取付けられる対象は、図示は省略したが、車体床面上にシートクッション、シートバック等により構成されるシート本体と、車体床面との間に介在して設けられ、該シート本体を車両の前後方向に沿って摺動自在に支持されるために用いられることは周知の通りである。
【００１６】
本発明に係るシートスライド装置１０は、図１に示すように、車両の床面上に車両の長手方向に沿って取付けられるロアレール２０と、このロアレール２０内に収容され、車両の長手方向に沿って摺動自在で且つ図示しないシート本体側に取付けられ、シート本体を支持するアッパーレール３０とから大略構成されている。
【００１７】
更に詳しくは、ロアレール２０並びにアッパーレール３０は、アルミダイキャスト、マグネシウム合金等の軽合金の押出成形体により形成されているが、硬質合成樹脂の押出成形品を使用してもよく、ロアレール２０は、フロアカーペットの切欠部に埋設された状態で車両床面に固定されても、また、レッグを設けて車両床面上に取付けられてもよい。
【００１８】
前記ロアレール２０は、略上向きコ字状をなす本体部２１と、この本体部２１の両側部上端から内方に屈折されて延設され、開口部２１ａを有する左右一対のフランジ２２が形成され、ロアレール２０の肩部内面には、スライダーを受けるスライダー受け部２３が形成されている。
【００１９】
一方、アッパーレール３０は、ロアレール２０の本体部２１内に収容されるように略下向きコ字状をなす本体部３１と、この本体部３１の両肩部に形成されるスライダー受け部３２と、本体部３１の上部壁３１ａの中央より上方に突出し、前記ロアレール２０の開口部２１ａより上方に突出する垂直壁３３を有している。また、ロアレール２０のスライダー受け部２３とアッパーレール３０のスライダー受け部３２との間には、合成樹脂成形体からなるスライダー４０が介挿され、アッパーレール３０の円滑なスライド操作性を確保している。
【００２０】
ところで、本発明は、ロアレール２０の内部に溜まるチリ、ゴミ等の異物をロアレール２０の端末、あるいはロック孔から外部に掃き出すためのスイーパー５０の取付構造に特徴がある。
【００２１】
図２は、アッパーレール３０とスイーパー５０とを分解して示しているが、スイーパー５０は、図３乃至図６に示すように、ポリアミド樹脂、ポリアセタール樹脂等の合成樹脂の射出成形体から構成され、ロアレール２０の幅方向に沿って延び、ロアレール２０内部のゴミ等の異物を外部に掃き出すスイーパープレート５１と、スイーパー５０をアッパーレール３０側に取付ける複数の取付部とから構成されている。
【００２２】
尚、スイーパープレート５１の下縁両側には、ロアレール２０の内面と部分的に当接する掃き出し部５１ａが設けられている。前記スイーパー５０の取付部としては、アッパーレール３０の本体部３１に取付けるための上側フランジ５２、下側フランジ５３と、アッパーレール３０の垂直壁３３に取付ける挟持部５４とを備えている。
【００２３】
更に詳しくは、上側フランジ５２と下側フランジ５３は、スイーパープレート５１のプレート面から面直方向に突設し、上側フランジ５２と下側フランジ５３との距離はアッパーレール３０の本体部３１における底部壁３１ｂの厚みにほぼ等しく、上側フランジ５２に比べ長寸に設定されている。
【００２４】
下側フランジ５３の先端部分には、前記アッパーレール３０の底部壁３１ｂに開設したローラー収容開口３１ｃの縁部３１ｄに係止するフック５３ａが設けられていると共に、下側フランジ５３の剛性を強化するために前後方向に沿って延びるリブ５３ｂが下側フランジ５３の裏面に複数列条設されている。
【００２５】
次いで、挟持部５４は、スイーパープレート５１の上縁から上方に延設形成され、この挟持部５４には、アッパーレール３０の垂直壁３３を左右側から挟み込む挟持片５５が形成され、この挟持片５５の内面に対向するようにエンボス凸部５６が突設されており、このエンボス凸部５６は、アッパーレール３０の垂直壁３３に形成した取付孔３３ａ内に嵌合する。
【００２６】
従って、図２及び図７に示すように、アッパーレール３０の前後端に夫々スイーパー５０を取付けるには、アッパーレール３０における本体部３１の底部壁３１ｂに対して上側フランジ５２、下側フランジ５３を上下側から挟み込むように差し込むと共に、挟持部５４の挟持片５５でアッパーレール３０の垂直壁３３を左右側から挟み込むようにして、取付孔３３ａにエンボス凸部５６を嵌合させればよく、ワンタッチで簡単にスイーパー５０を取付けることができる。
【００２７】
従って、アッパーレール３０の前後端にスイーパー５０を取付けた状態においては、図７，図８に示すように、アッパーレール３０の垂直壁３３の取付孔３３ａに挟持片５５のエンボス凸部５６が嵌まり込んでいるため、スイーパー５０が前後方向に規制され、且つ下側フランジ５３先端のフック５３ａがアッパーレール３０のローラー収容開口３１ｃ縁部３１ｄに係止しており、スイーパー５０がエンボス凸部５６を中心に回動することがなく、前後方向の位置規制を確実に行うことができる。
【００２８】
更に、図８に示すように、アッパーレール３０における垂直壁３３の取付孔３３ａに挟持片５５のエンボス凸部５６が嵌まり込んでいることにより、左右方向の位置規制も確実になされ、且つアッパーレール３０の本体部３１の底部壁３１ｂの上下面を上側フランジ５２と下側フランジ５３により上下から確実に挟持しているため、上下方向の位置規制も確実になされている。
【００２９】
このように、アッパーレール３０の前後端に取付けられるスイーパー５０は、エンボス凸部５６により前後、左右方向の位置規制がなされ、アッパーレール３０本体部３１の底部壁３１ｂを上下側フランジ５２、５３により挟持しているため、上下方向の位置規制もなされ、且つ下側フランジ５３の先端に設けたフック５３ａがアッパーレール３０のローラー収容開口３１ｃの縁部３１ｄに係止しているため、スイーパー５０の転びという問題もなく、スイーパー５０は全方位方向に位置ズレが生じることがない。
【００３０】
従って、アッパーレール３０をロアレール２０の長手方向に沿ってスライド操作する際、スイーパー５０がガタつくことがないと共に、急激なスライド操作を行っても、スイーパー５０が脱落するという虞れが全くない。更に、スイーパー５０の取付作業時、下側フランジ５３先端のフック５３ａがローラー収容開口３１ｃ縁部３１ｄにクリック的に係合するため、作業確認を簡単に行えるという利点がある。
【００３１】
ところで、本実施の形態においては、アッパーレール３０の前後端双方にスイーパー５０を取付けたが、アッパーレール３０のフロント側、あるいはリヤ側の一方側のみにスイーパー５０を取付けて対応させることもできる。尚、本発明は、前述した実施の形態の構造に限定されず、シートスライド装置１０やスイーパー５０の各部の形状、構造等を必要に応じて適宜変形、変更することは自由であり、各レールやスイーパーの形状や材質を始め、種々の変形例は本発明の範疇に含まれるものである。
【００３２】
【発明の効果】
以上が本発明に係るシートスライド装置におけるスイーパーの取付構造の実施の形態であるが、本発明の請求項１に記載のシートスライド装置におけるスイーパーの取付構造によれば、ロアレールの幅方向に沿って延びるスイーパープレートのプレート面から面直方向に延びる上下側フランジを突設し、この上下側フランジによりアッパーレール本体部の底部壁を上下面側から挟み込むようにしたため、スイーパーはアッパーレールに対して上下方向にズレ込む虞れがなく、スイーパープレートの上縁部から上方に向けて延設した挟持部により、アッパーレールを左右側から挟み込み、アッパーレールに設けた取付孔にエンボス凸部を嵌合させることにより、スイーパーをアッパーレールに対して前後、左右方向の位置ズレを回避した状態で取付けることができるため、スイーパーは、アッパーレールに対して、前後、左右、上下方向の各方向に対する位置規制が確実に行われ、スライド操作時におけるガタつきがなく、急激なスライド操作を行っても脱落する虞れがなく、円滑なスライド操作性が期待できるという効果を有する。
【００３３】
また、本発明の請求項２に記載のシートスライド装置におけるスイーパーの取付構造によれば、アッパーレール本体部の底部壁を上下側から挟持するように上下側フランジを底部壁に差し込めば、下側フランジの先端に設けたフックが底部壁のローラー収容開口の縁部に係合するため、スイーパーは、エンボス凸部を中心として下部側が回動することがなく、スイーパーの脱落を確実に防止できる、更に、上下側フランジをアッパーレールの本体部に差し込み操作する際、下側フランジ先端のフックが底部壁のローラー収容開口の縁部に係合するため、節度感が得られ、スイーパーの取付作業の確認が簡単に行えるという効果を有する。
【図面の簡単な説明】
【図１】本発明に係るスイーパーの取付構造を適用するシートスライド装置の概略構成を示す断面図。
【図２】本発明に係るスイーパーの取付構造を示す斜視図。
【図３】本発明に係るスイーパーの斜視図。
【図４】本発明に係るスイーパーの側面図。
【図５】本発明に係るスイーパーの正面図。
【図６】本発明に係るスイーパーの平面図。
【図７】本発明に係るスイーパーの取付構造を示す側面図。
【図８】本発明に係るスイーパーの取付構造を示す図７中VIII−VIII線断面図。
【図９】従来のスイーパーを装備したシートスライド装置を示す斜視図。
【図１０】従来のスイーパーの取付構造を示す説明図。
【図１１】従来のスイーパーの取付構造を示す断面図。
【符号の説明】
１０    シートスライド装置
３０    アッパーレール
３１    本体部
３１ｂ  底部壁
３１ｃ  ローラー収容開口
３３    垂直壁
３３ａ  取付孔
４０    スライダー
５０    スイーパー
５１    スイーパープレート
５１ａ  ロアレール当接部（掃き出し部）
５２    上側フランジ
５３    下側フランジ
５３ａ  フック
５３ｂ  補強リブ
５４    挟持部
５５    挟持片
５６    エンボス凸部
【図１】
0003690659.tif 000002
【図２】
0003690659.tif 000003
【図３】
0003690659.tif 000004
【図４】
0003690659.tif 000005
【図５】
0003690659.tif 000006
【図６】
0003690659.tif 000007
【図７】
0003690659.tif 000008
【図８】
0003690659.tif 000009
【図９】
0003690659.tif 000010
【図１０】
0003690659.tif 000011
【図１１】
0003690659.tif 000012